(57)【要約】【課題】自分のユーザＩＤやＰＩＮを相手に知られることなく、確実に想定した相手とマッチングする。【解決手段】マッチングシステムは、Ｗｅｂサーバ（１）と第１の利用者端末（２）とを備え、Ｗｅｂサーバ（１）は、本人確認部（１２）と仮ＩＤ発行部（１３）とＩＤ対応付け部（１４）と仮ＩＤ送受信部（１５）と仮ＩＤ検索部（１６）とを備え、仮ＩＤ発行部（１３）は仮ＩＤを発行し、ＩＤ対応付け部（１４）は仮ＩＤを第１の利用者の本ＩＤと対応付け、仮ＩＤ送受信部（１５）は更に仮ＩＤを取得し、仮ＩＤ検索部（１６）は第１の利用者の本ＩＤを検索し、仮ＩＤ検索部（１６）は更に第２の利用者の本ＩＤを検索し、ＩＤ対応付け部（１４）は更に第１の利用者の本ＩＤと第２の利用者の本ＩＤとを対応付けることを特徴とする。【選択図】図１
2016025630.tif 000002
【特許請求の範囲】
【請求項１】
Ｗｅｂサーバと第１の利用者端末とを備えるマッチングシステムにおいて、
前記Ｗｅｂサーバは、本人確認部と、仮ＩＤ発行部と、ＩＤ対応付け部と、仮ＩＤ送受信部と、仮ＩＤ検索部とを備え、
前記本人確認部は、前記第１の利用者端末内の又は当該第１の利用者端末に接続されたリーダライタに接触又は近接した第１の利用者の第１のＩＣチップ保有媒体を用いて前記第１の利用者を認証し、
前記仮ＩＤ発行部は、前記認証した第１の利用者の仮ＩＤを発行し、
前記ＩＤ対応付け部は、前記仮ＩＤを前記第１の利用者の本ＩＤと対応付け、
前記仮ＩＤ送受信部は、前記第１の利用者の認証中に前記リーダライタに接触又は近接した、第２の利用者の第２のＩＣチップ保有媒体に対して、前記仮ＩＤを出力し、
前記本人確認部は更に、前記第２の利用者の前記第２のＩＣチップ保有媒体を用いて前記第２の利用者を認証し、
前記仮ＩＤ送受信部は更に、前記第２のＩＣチップ保有媒体から前記仮ＩＤを取得し、
前記仮ＩＤ検索部は、前記取得した仮ＩＤに対応付けられた、前記第１の利用者の本ＩＤを検索し、
前記仮ＩＤ検索部は更に、前記第２の利用者の本ＩＤを検索し、
前記ＩＤ対応付け部は更に、前記検索した第１の利用者の本ＩＤと前記検索した第２の利用者の本ＩＤとを対応付ける
ことを特徴とするマッチングシステム。
【請求項２】
請求項１に記載のマッチングシステムにおいて、
前記ＩＤ対応付け部は更に、前記検索した第１の利用者の本ＩＤと前記検索した第２の利用者の本ＩＤとを対応付ける前に、対応付けてよいか否かを前記第１の利用者に確認する
ことを特徴とするマッチングシステム。
【請求項３】
請求項１又は２に記載のマッチングシステムにおいて、
前記マッチングシステムは更に、結果送信部を備え、
前記結果送信部は、前記第１の利用者の本ＩＤと前記第２の利用者の本ＩＤとを対応付けたことを前記第１の利用者に通知する
ことを特徴とするマッチングシステム。
【請求項４】
請求項１から３のいずれか１項に記載のマッチングシステムにおいて、
前記第１のＩＣチップ保有媒体及び前記第２のＩＣチップ保有媒体は、ＩＣチップを備えたＩＣカード又はＩＣチップを備えた携帯端末の少なくとも一方であることを特徴とするマッチングシステム。
【請求項５】
Ｗｅｂサーバと第１の利用者端末とを備えるマッチングシステムにおけるマッチング方法において、
前記Ｗｅｂサーバは、本人確認部と、仮ＩＤ発行部と、ＩＤ対応付け部と、仮ＩＤ送受信部と、仮ＩＤ検索部とを備え、
前記本人確認部により、前記第１の利用者端末内の又は当該第１の利用者端末に接続されたリーダライタに接触又は近接した第１の利用者の第１のＩＣチップ保有媒体を用いて前記第１の利用者を認証するステップと、
前記仮ＩＤ発行部により、前記認証した第１の利用者の仮ＩＤを発行するステップと、
前記ＩＤ対応付け部により、前記仮ＩＤを前記第１の利用者の本ＩＤと対応付けるステップと、
前記仮ＩＤ送受信部により、前記第１の利用者の認証中に前記リーダライタに接触又は近接した、第２の利用者の第２のＩＣチップ保有媒体に対して、前記仮ＩＤを出力するステップと、
前記本人確認部により更に、前記第２の利用者の前記第２のＩＣチップ保有媒体を用いて前記第２の利用者を認証するステップと、
前記仮ＩＤ送受信部により更に、前記第２のＩＣチップ保有媒体から前記仮ＩＤを取得するステップと、
前記仮ＩＤ検索部により、前記取得した仮ＩＤに対応付けられた、前記第１の利用者の本ＩＤを検索するステップと、
前記仮ＩＤ検索部により更に、前記第２の利用者の本ＩＤを検索するステップと、
前記ＩＤ対応付け部により更に、前記検索した第１の利用者の本ＩＤと前記検索した第２の利用者の本ＩＤとを対応付けるステップと
を有することを特徴とするマッチング方法。
【請求項６】
本人確認部と、仮ＩＤ発行部と、ＩＤ対応付け部と、仮ＩＤ送受信部と、仮ＩＤ検索部とを備えるＷｅｂサーバにおいて、
前記本人確認部は、第１の利用者端末内の又は当該第１の利用者端末に接続されたリーダライタに接触又は近接した第１の利用者の第１のＩＣチップ保有媒体を用いて前記第１の利用者を認証し、
前記仮ＩＤ発行部は、前記認証した第１の利用者の仮ＩＤを発行し、
前記ＩＤ対応付け部は、前記仮ＩＤを前記第１の利用者の本ＩＤと対応付け、
前記仮ＩＤ送受信部は、前記第１の利用者の認証中に前記リーダライタに接触又は近接した、第２の利用者の第２のＩＣチップ保有媒体に対して、前記仮ＩＤを出力し、
前記本人確認部は更に、前記第２の利用者の前記第２のＩＣチップ保有媒体を用いて前記第２の利用者を認証し、
前記仮ＩＤ送受信部は更に、前記第２のＩＣチップ保有媒体から前記仮ＩＤを取得し、
前記仮ＩＤ検索部は、前記取得した仮ＩＤに対応付けられた、前記第１の利用者の本ＩＤを検索し、
前記仮ＩＤ検索部は更に、前記第２の利用者の本ＩＤを検索し、
前記ＩＤ対応付け部は更に、前記検索した第１の利用者の本ＩＤと前記検索した第２の利用者の本ＩＤとを対応付ける
ことを特徴とするＷｅｂサーバ。
【発明の詳細な説明】
【技術分野】
【０００１】
本発明は、利用者同士をマッチングするマッチングシステム、マッチング方法及びＷｅｂサーバに関する。
【背景技術】
【０００２】
従来、ゲーム上の部屋やパスワードを互いに教え合って、利用者同士をマッチングさせるゲームが知られている（例えば、非特許文献１）。
【先行技術文献】
【非特許文献】
【０００３】
【非特許文献１】“ＭＯＮＳＴＥＲ  ＨＵＮＴＥＲ４  公式Ｗｅｂマニュアル、インターネット通信で遊ぶ”、［Ｏｎｌｉｎｅ］、平成２５年、［平成２６年７月７日検索］、インターネット＜http://game.capcom.com/manual/MH4/ja/page-143.html＞
【発明の概要】
【発明が解決しようとする課題】
【０００４】
ポータルサイトやＳＮＳ（Ｓｏｃｉａｌ  Ｎｅｔｗｏｒｋｉｎｇ  Ｓｅｒｖｉｃｅ）等で利用者同士をマッチングさせる際、想定した相手と確実にマッチングを行うには、利用者同士が物理的に対面することが必要である。対面でマッチングを行わない場合、相手のＩＤをポータルサイト等で検索することになる。この場合、正しいＩＤを教えられていないことがあるため、意図しない相手とマッチングしてしまう危険性がある。
【０００５】
また、相手にユーザＩＤを知られたくない場合、ワンタイムＩＤを発行することになる。従来のワンタイムＩＤは、メールや電話等で相手に伝えることが可能である。このため、ワンタイムＩＤを用いる場合、対面でマッチングを行うことを強制することができない。ＩＣカードで認証することを強制すれば対面でのマッチングを強制することができるが、ＰＩＮ（Ｐｅｒｓｏｎａｌ  Ｉｄｅｎｔｉｆｉｃａｔｉｏｎ  Ｎｕｍｂｅｒ）の入力を目視やキーロガーで覗かれてしまう可能性がある。
【０００６】
かかる点に鑑みてなされた本発明の目的は、自分のユーザＩＤやＰＩＮを相手に知られることなく、確実に想定した相手とマッチングすることができるマッチングシステム、マッチング方法及びＷｅｂサーバを提供することにある。
【０００７】
上記課題を解決するため、本発明に係るマッチングシステムは、Ｗｅｂサーバと第１の利用者端末とを備え、前記Ｗｅｂサーバは、本人確認部と、仮ＩＤ発行部と、ＩＤ対応付け部と、仮ＩＤ送受信部と、仮ＩＤ検索部とを備え、前記本人確認部は、前記第１の利用者端末内の又は当該第１の利用者端末に接続されたリーダライタに接触又は近接した第１の利用者の第１のＩＣチップ保有媒体を用いて前記第１の利用者を認証し、前記仮ＩＤ発行部は、前記認証した第１の利用者の仮ＩＤを発行し、前記ＩＤ対応付け部は、前記仮ＩＤを前記第１の利用者の本ＩＤと対応付け、前記仮ＩＤ送受信部は、前記第１の利用者の認証中に前記リーダライタに接触又は近接した、第２の利用者の第２のＩＣチップ保有媒体に対して、前記仮ＩＤを出力し、前記本人確認部は更に、前記第２の利用者の前記第２のＩＣチップ保有媒体を用いて前記第２の利用者を認証し、前記仮ＩＤ送受信部は更に、前記第２のＩＣチップ保有媒体から前記仮ＩＤを取得し、前記仮ＩＤ検索部は、前記取得した仮ＩＤに対応付けられた、前記第１の利用者の本ＩＤを検索し、前記仮ＩＤ検索部は更に、前記第２の利用者の本ＩＤを検索し、前記ＩＤ対応付け部は更に、前記検索した第１の利用者の本ＩＤと前記検索した第２の利用者の本ＩＤとを対応付けることを特徴とする。
【０００８】
また、上記課題を解決するため、本発明に係るマッチング方法は、Ｗｅｂサーバと第１の利用者端末とを備え、前記Ｗｅｂサーバは、本人確認部と、仮ＩＤ発行部と、ＩＤ対応付け部と、仮ＩＤ送受信部と、仮ＩＤ検索部とを備え、前記本人確認部により、前記第１の利用者端末内の又は当該第１の利用者端末に接続されたリーダライタに接触又は近接した第１の利用者の第１のＩＣチップ保有媒体を用いて前記第１の利用者を認証するステップと、前記仮ＩＤ発行部により、前記認証した第１の利用者の仮ＩＤを発行するステップと、前記ＩＤ対応付け部により、前記仮ＩＤを前記第１の利用者の本ＩＤと対応付けるステップと、前記仮ＩＤ送受信部により、前記第１の利用者の認証中に前記リーダライタに接触又は近接した、第２の利用者の第２のＩＣチップ保有媒体に対して、前記仮ＩＤを出力するステップと、前記本人確認部により更に、前記第２の利用者の前記第２のＩＣチップ保有媒体を用いて前記第２の利用者を認証するステップと、前記仮ＩＤ送受信部により更に、前記第２のＩＣチップ保有媒体から前記仮ＩＤを取得するステップと、前記仮ＩＤ検索部により、前記取得した仮ＩＤに対応付けられた、前記第１の利用者の本ＩＤを検索するステップと、前記仮ＩＤ検索部により更に、前記第２の利用者の本ＩＤを検索するステップと、前記ＩＤ対応付け部により更に、前記検索した第１の利用者の本ＩＤと前記検索した第２の利用者の本ＩＤとを対応付けるステップとを有することを特徴とする。
【０００９】
また、上記課題を解決するため、本発明に係るＷｅｂサーバは、本人確認部と、仮ＩＤ発行部と、ＩＤ対応付け部と、仮ＩＤ送受信部と、仮ＩＤ検索部とを備える、前記本人確認部は、第１の利用者端末内の又は当該第１の利用者端末に接続されたリーダライタに接触又は近接した第１の利用者の第１のＩＣチップ保有媒体を用いて前記第１の利用者を認証し、前記仮ＩＤ発行部は、前記認証した第１の利用者の仮ＩＤを発行し、前記ＩＤ対応付け部は、前記仮ＩＤを前記第１の利用者の本ＩＤと対応付け、前記仮ＩＤ送受信部は、前記第１の利用者の認証中に前記リーダライタに接触又は近接した、第２の利用者の第２のＩＣチップ保有媒体に対して、前記仮ＩＤを出力し、前記本人確認部は更に、前記第２の利用者の前記第２のＩＣチップ保有媒体を用いて前記第２の利用者を認証し、前記仮ＩＤ送受信部は更に、前記第２のＩＣチップ保有媒体から前記仮ＩＤを取得し、前記仮ＩＤ検索部は、前記取得した仮ＩＤに対応付けられた、前記第１の利用者の本ＩＤを検索し、前記仮ＩＤ検索部は更に、前記第２の利用者の本ＩＤを検索し、前記ＩＤ対応付け部は更に、前記検索した第１の利用者の本ＩＤと前記検索した第２の利用者の本ＩＤとを対応付けることを特徴とする。
【発明の効果】
【００１０】
本発明によれば、自分のユーザＩＤやＰＩＮを相手に知られることなく、確実に想定した相手とマッチングすることが可能となる。
【図面の簡単な説明】
【００１１】
【図１】本発明の一実施形態に係るマッチングシステムの概略構成を示す図である。
【図２】図１のマッチングシステムにおけるＷｅｂサーバの機能ブロック図である。
【図３】（ａ）は図１のマッチングシステムにおける第１の利用者端末の機能ブロック図であり、（ｂ）は図１のマッチングシステムにおける第２の利用者端末の機能ブロック図である。
【図４】（ａ）は図１のマッチングシステムにおける第１のＩＣチップ保有媒体の機能ブロック図であり、（ｂ）は図１のマッチングシステムにおける第２のＩＣチップ保有媒体の機能ブロック図である。
【図５】本発明の一実施形態に係るマッチングシステムの仮ＩＤダウンロード段階における動作フローを示す図である。
【図６】本発明の一実施形態に係るマッチングシステムの仮ＩＤ利用段階における動作フローを示す図である。
【発明を実施するための形態】
【００１２】
以下、本発明の各実施形態を、図面を参照して説明する。
【００１３】
図１は、本発明の一実施形態に係るマッチングシステムの概略構成を示す図である。図１に示す概略構成は一例であり、各構成は任意に組み合わせることが可能である。各構成の内部にあるとして説明する記憶部は、各構成に外部に設けられて必要なときに各装置により参照されてもよい。本発明に係るマッチングシステムの各機能を説明するが、マッチングシステムが備える他の機能を排除することを意図したものではない。
【００１４】
一実施形態においては、ネットワークＮＷを介してＷｅｂサーバ１、第１の利用者端末２及び第２の利用者端末３が接続される。ネットワークに接続される各装置の数は、１つであっても複数であってもよい。第１の利用者端末２及び第２の利用者端末３は、設置型の端末であっても携帯型の端末であってもよい。後で詳述するように、第１の利用者は、第１のＩＣチップ保有媒体４を第１の利用者端末２のリーダライタ２３にタッチする。また、第２の利用者は、第２のＩＣチップ保有媒体５を第１の利用者端末２のリーダライタ２３又は第２の利用者端末３のリーダライタ３３にタッチする。
【００１５】
図２は、図１のマッチングシステムおけるＷｅｂサーバ１の機能ブロック図である。Ｗｅｂサーバ１は、制御部１１、本人確認部１２、仮ＩＤ発行部１３、ＩＤ対応付け部１４、仮ＩＤ送受信部１５、仮ＩＤ検索部１６、結果送信部１７及び記憶部１８を有する。
【００１６】
制御部１１はＣＰＵ（Ｃｅｎｔｒａｌ  Ｐｒｏｃｅｓｓｉｎｇ  Ｕｎｉｔ、中央処理装置）であり、Ｗｅｂサーバ１の各種動作を制御する。
【００１７】
本人確認部１２は、ＩＣチップ保有媒体から取得した本人確認情報と、入力されたＰＩＮとが対応するものか否かを判定し、対応する場合には入力を行った利用者を認証してＷｅｂサーバ１にログインさせる。
【００１８】
仮ＩＤ発行部１３は、利用者端末から取得した仮ＩＤ発行要求に応じて、仮ＩＤを発行する。
【００１９】
ＩＤ対応付け部１４は、利用者の本ＩＤと仮ＩＤとを対応付ける。本ＩＤとは、利用者の不変のＩＤであり、仮ＩＤとは、利用者の一時的なＩＤである。また、ＩＤ対応付け部１４は、第１の利用者の本ＩＤと、第１の利用者と対応付けられる第２の利用者の本ＩＤとを対応付ける。
【００２０】
仮ＩＤ送受信部１５は、利用者端末から取得したダウンロード要求に応じて、利用者端末を介して仮ＩＤをＩＣチップ保有媒体に出力する。すなわち、仮ＩＤ送受信部１５はダウンロード要求に応じて利用者端末に仮ＩＤを出力し、利用者端末は取得した仮ＩＤをＩＣチップ保有媒体に出力する。
【００２１】
仮ＩＤ検索部１６は、仮ＩＤ検索要求に応じて、本ＩＤ−仮ＩＤ対応付けテーブル１８ｂを参照して、取得した仮ＩＤに対応付けられた本ＩＤを検索する。
【００２２】
結果送信部１７は、第１の利用者の本ＩＤと第２の利用者の本ＩＤとが対応付けられたという結果を第１の利用者に通知する。
【００２３】
記憶部１８は、各利用者の本ＩＤのリストである本ＩＤテーブル１８ａ、各利用者の本ＩＤと仮ＩＤとを対応付ける本ＩＤ−仮ＩＤ対応付けテーブル１８ｂを記憶する。また、記憶部１８は、ある利用者の本ＩＤと、その利用者とマッチングした別の利用者の本ＩＤとを対応付ける本ＩＤ−本ＩＤ対応付けテーブル１８ｃを記憶する。
【００２４】
図３（ａ）は、図１のマッチングシステムにおける第１の利用者端末２の機能ブロック図である。
【００２５】
第１の利用者端末２は、制御部２１、通信部２２及びリーダライタ２３を備える。
【００２６】
制御部２１はＣＰＵであり、第１の利用者端末２の各種動作を制御する。
【００２７】
通信部２２は、Ｗｅｂブラウザを介してＷｅｂサーバ１との間で情報を送受信する。通信部２２は、有線又は無線の少なくとも一方により通信を行う。
【００２８】
リーダライタ２３は、後述する第１のＩＣチップ保有媒体４又は後述する第２のＩＣチップ保有媒体５と無線により通信する。そのとき例えば、リーダライタ２３は、第１のＩＣチップ保有媒体４又は第２のＩＣチップ保有媒体５から、仮ＩＤや本人確認情報等を取得する。図３（ａ）においてリーダライタ２３は第１の利用者端末２内に内蔵されている。しかしながら、リーダライタ２３は、第１の利用者端末２に外部から接続する（外付けする）タイプのものであってもよい。
【００２９】
図３（ｂ）は、図１のマッチングシステムにおける第２の利用者端末３の機能ブロック図である。第２の利用者端末３も、制御部３１、通信部３２及びリーダライタ３３を備える。第２の利用者端末３の機能ブロック図は第１の利用者端末２の機能ブロック図と同一であるため、説明を省略する。
【００３０】
図４（ａ）は、図１のマッチングシステムにおける第１のＩＣチップ保有媒体４の機能ブロック図である。
【００３１】
第１のＩＣチップ保有媒体４は例えば、ＩＣチップを備えたＩＣカード又はＩＣチップを備えた携帯端末等である。第１のＩＣチップ保有媒体４及び第２のＩＣチップ保有媒体５は接触型であっても非接触型であってもよい。本明細書では、第１のＩＣチップ保有媒体４及び第２のＩＣチップ保有媒体５は、非接触型のＩＣカードであるとして以下で説明する。
【００３２】
第１のＩＣチップ保有媒体４はＩＣチップ内に記憶部４１を備える。記憶部４１は例えば、第１のＩＣチップ保有媒体４の保有者の仮ＩＤや本人確認情報を記憶する。
【００３３】
図４（ｂ）は、図１のマッチングシステムにおける第２のＩＣチップ保有媒体５の機能ブロック図である。第２のＩＣチップ保有媒体５も記憶部５１を備える。第２のＩＣチップ保有媒体５の機能ブロック図は第１のＩＣチップ保有媒体４の機能ブロック図と同一であるため、説明を省略する。
【００３４】
以下、本発明の一実施形態に係るマッチングシステムの処理を説明する。
【００３５】
［仮ＩＤダウンロード段階］
本実施形態では、マッチングを行う利用者が、第１の利用者と第２の利用者とであるとして説明する。第１の利用者及び第２の利用者はそれぞれ、第１のＩＣチップ保有媒体４及び第２のＩＣチップ保有媒体５を保有する。第１の利用者及び第２の利用者がマッチングを行う場所は限定されないが、本実施形態におけるマッチングを行う場所は、第１の利用者の事務所であるとして以下説明する。
【００３６】
第１の利用者の事務所には、第１の利用者端末２が設置されている。第１の利用者は、第１のＩＣチップ保有媒体４をリーダライタ２３にタッチする（近接させる）。タッチされたことを検知すると、第１のＩＣチップ保有媒体４は、本人確認情報を、第１の利用者端末２のリーダライタ２３を介してＷｅｂサーバ１に出力する。すなわち、第１のＩＣチップ保有媒体４は、本人確認情報を第１の利用者端末２のリーダライタ２３に出力し、第１の利用者端末２のリーダライタ２３は、取得した本人確認情報をＷｅｂサーバ１に出力する。次いで第１の利用者は、第１の利用者端末２のＷｅｂブラウザ上で、第１のＩＣチップ保有媒体４のＰＩＮを入力する。このとき第１の利用者は、第２の利用者が見ていないところで、ＰＩＮを入力する。第１の利用者端末２は、ＰＩＮの入力を受付け、ＰＩＮをＷｅｂサーバ１に出力する。
【００３７】
Ｗｅｂサーバ１の本人確認部１２は、取得した本人確認情報とＰＩＮとが対応するものか否かを判定し、対応するものであれば第１の利用者を認証してログインさせる。
【００３８】
第１の利用者が第１の利用者端末２のＷｅｂブラウザ上で仮ＩＤ発行ボタンを押下したことを検知すると、第１の利用者端末２は仮ＩＤ発行要求をＷｅｂサーバ１に行う。仮ＩＤ発行要求を取得したＷｅｂサーバ１は、仮ＩＤ発行部１３において、第１の利用者の仮ＩＤを発行する。仮ＩＤは、例えば、視認不可能な文字列である。
【００３９】
ＩＤ対応付け部１４は、本ＩＤテーブル１８ａを参照して第１の利用者の本ＩＤを取得する。ＩＤ対応付け部１４は、取得した本ＩＤと発行した仮ＩＤとを対応付けて、本ＩＤ−仮ＩＤ対応付けテーブル１８ｂに記憶する。
【００４０】
次いで第２の利用者は、第１の利用者の認証中（第１の利用者のログイン中）に、第１の利用者端末２のリーダライタ２３に、第２のＩＣチップ保有媒体５をタッチする。このとき、Ｗｅｂサーバ１は、第２の利用者に対して、第２のＩＣチップ保有媒体５のＰＩＮの入力を要求しない。また、タッチするＩＣチップ保有媒体がどの利用者のものであるかは問わない。第２のＩＣチップ保有媒体５がリーダライタ２３にタッチされていることを検知すると、Ｗｅｂサーバ１の仮ＩＤ送受信部１５は、第１の利用者端末２の表示部（例えば、液晶ディスプレイや陰極線管）に、ダウンロードボタンを表示させる。
【００４１】
第１の利用者及び第２の利用者は、お互いの確認のもと、第１の利用者端末２のＷｅｂブラウザ上で、ダウンロードボタンを押下する。ダウンロードボタンが押下されたことを検知すると、第１の利用者端末２はＷｅｂサーバ１へダウンロード要求を行う。
【００４２】
ダウンロード要求を取得すると、Ｗｅｂサーバ１の仮ＩＤ送受信部１５は第１の利用者に発行された仮ＩＤを出力する。第２のＩＣチップ保有媒体５は、第１の利用者端末２のリーダライタ２３を介して仮ＩＤを取得し、記憶する。
【００４３】
仮ＩＤは例えば、本実施形態に記載されるＩＣチップ保有媒体のみが記憶することができ、通常のストレージが記憶することができない情報である。このように構成するために、仮ＩＤは、ＩＣチップ保有媒体内のアプリケーションを用いなければダウンロードすることができないファイル形式であってもよい。また、そのように構成するために、ＩＣチップ保有媒体をリーダライタ２３にタッチしているときにのみ第１の利用者端末２の表示部にダウンロードボタンを表示させてもよい。更に、そのように構成するために、仮ＩＤのファイルがＩＣチップ保有媒体以外の端末にキャッシュされないようにしてもよい。
【００４４】
第２の利用者は、第２のＩＣチップ保有媒体５を第１の利用者端末２のリーダライタ２３から遠ざける（外す）。
【００４５】
第１の利用者はログアウト操作を行って、Ｗｅｂサーバ１からログアウトする。第１の利用者がログアウトした状態では、Ｗｅｂサーバ１は、第１の利用者の仮ＩＤを出力しない。
【００４６】
［仮ＩＤ利用段階］
この段階では、後述する通り、第２の利用者は第２の利用者端末３を用いて、Ｗｅｂサーバ１にログインする。なお、第２の利用者は第１の利用者がログアウトした後の第１の利用者端末２を用いてもログインしてもよい。また、第２の利用者端末３の場所は限定されない。第２の利用者端末３は、第２の利用者の自宅に設置された端末でもよいし、第２の利用者が保有する携帯端末であってもよい。
【００４７】
第２の利用者は、第２のＩＣチップ保有媒体５を、第２の利用者端末３のリーダライタ３３にタッチする。タッチされたことを検知すると、第２のＩＣチップ保有媒体５は本人確認情報を、第２の利用者端末３のリーダライタ３３を介してＷｅｂサーバ１に出力する。すなわち、第２のＩＣチップ保有媒体５は本人確認情報を第２の利用者端末３のリーダライタ３３に出力し、第２の利用者端末３のリーダライタ３３は、取得した本人確認情報をＷｅｂサーバ１に出力する。
【００４８】
第２の利用者は、第２の利用者端末３のＷｅｂブラウザ上でＰＩＮを入力する。第２の利用者端末３は、受付けたＰＩＮをＷｅｂサーバ１に出力する。
【００４９】
Ｗｅｂサーバ１の本人確認部１２は、取得した本人確認情報とＰＩＮとが対応するものか否かを判定し、対応するものであれば第２の利用者を認証してログインさせる。
【００５０】
第２の利用者が第２の利用者端末３のＷｅｂブラウザ上で仮ＩＤ検索ボタンを押下したことを検知すると、第２の利用者端末３は仮ＩＤ検索要求をＷｅｂサーバ１に行う。また、仮ＩＤ検索要求時に又はその後に第２の利用者端末３は第２のＩＣチップ保有媒体５の記憶部５１から、第１の利用者に発行された仮ＩＤを取得し、Ｗｅｂサーバ１に出力する。
【００５１】
仮ＩＤ検索要求を取得したＷｅｂサーバ１の仮ＩＤ検索部１６は、本ＩＤ−仮ＩＤ対応付けテーブル１８ｂを参照して、第２の利用者端末３から取得した仮ＩＤに対応付けられた、第１の利用者の本ＩＤを検索する。
【００５２】
またＷｅｂサーバ１は、本ＩＤテーブル１８ａを参照して第２の利用者の本ＩＤを検索し、検索した本ＩＤを、検索した第１の利用者の本ＩＤと対応付けて（マッチングして）本ＩＤ−本ＩＤ対応付けテーブル１８ｃに記憶する。対応付ける前に、Ｗｅｂサーバ１は、第１の利用者に対し、第２の利用者とマッチングさせてもよいか否かを確認してもよい。確認の方法は例えば、Ｗｅｂサーバ１に予め登録された第１の利用者のメールアドレスに対して通知して確認する方法や、ウェブサイト内のお知らせ機能を用いて確認する方法がある。
【００５３】
次いでＷｅｂサーバ１の結果送信部１７は、第１の利用者の本ＩＤと第２の利用者の本ＩＤとが対応付けられたという結果を、例えば予めＷｅｂサーバ１に登録されている第１の利用者のメールアドレスや電話番号に通知する。あるいは、結果送信部１７は、結果をウェブサイトに表示することで、第１の利用者に通知する。
【００５４】
第２の利用者は、ログアウト操作を行って、Ｗｅｂサーバ１からログアウトする。
【００５５】
図５は、本発明の一実施形態に係るマッチングシステムの仮ＩＤダウンロード段階における動作フローを示す図である。
【００５６】
第１のＩＣチップ保有媒体４は、第１の利用者によって第１の利用者端末２にタッチされたことを検知すると（ステップＳ１）、第１の利用者の本人確認情報を第１の利用者端末２を介してＷｅｂサーバ１に出力する（ステップＳ２）。また、第１の利用者端末２は、第１の利用者からＰＩＮの入力を受付け、ＰＩＮをＷｅｂサーバ１に出力する（ステップＳ３）。Ｗｅｂサーバ１は、取得した本人確認情報とＰＩＮとが対応するか否かを判定する（ステップＳ４）。Ｗｅｂサーバ１は、本人確認情報とＰＩＮとが対応しないと判定した場合（ステップＳ４のＮｏ）、第１の利用者端末２に、再度ＰＩＮの入力を受付けさせる。Ｗｅｂサーバ１は、本人確認情報とＰＩＮとが対応すると判定した場合（ステップＳ４のＹｅｓ）、第１の利用者を認証してログインさせる（ステップＳ５）。次いで第１の利用者端末２は、仮ＩＤ発行ボタンが押下されたことを検知すると、仮ＩＤの発行要求をＷｅｂサーバ１に対して行う（ステップＳ６）。
【００５７】
次いでＷｅｂサーバ１は仮ＩＤを発行し（ステップＳ７）、また、本ＩＤテーブル１８ａを参照して第１の利用者の本ＩＤを取得する（ステップＳ８）。次いでＷｅｂサーバ１は、ステップＳ７で発行した仮ＩＤとステップＳ８で取得した本ＩＤとを対応付けて本ＩＤ−仮ＩＤ対応付けテーブル１８ｂに記憶する（ステップＳ９）。第２の利用者によって第２のＩＣチップ保有媒体５が第１の利用者端末２にタッチされたことを検知すると（ステップＳ１０）、第１の利用者端末２は、表示部にダウンロードボタンを表示する。第１の利用者端末２の表示部に表示したダウンロードボタンが押下されたことを検知すると、第１の利用者端末２は、Ｗｅｂサーバ１へダウンロード要求を行う（ステップＳ１１）。ダウンロード要求を取得するとＷｅｂサーバ１は仮ＩＤを第１の利用者端末２を介して第２のＩＣチップ保有媒体５に出力する（ステップＳ１２）。第２のＩＣチップ保有媒体５は取得した仮ＩＤを記憶する（ステップＳ１３）。第２の利用者は第２のＩＣチップ保有媒体５を第１の利用者端末２から遠ざける（ステップＳ１４）。他方第１の利用者はログアウト操作を行ってＷｅｂサーバ１からログアウトする（ステップＳ１５）。
【００５８】
図６は、本発明の一実施形態に係るマッチングシステムの仮ＩＤ利用段階における動作フローを示す図である。
【００５９】
第２のＩＣチップ保有媒体５は、第２の利用者によって第２の利用者端末３にタッチされたことを検知すると（ステップＳ２１）、第２の利用者の本人確認情報を第２の利用者端末３を介してＷｅｂサーバ１に出力する（ステップＳ２２）。また、第２の利用者端末３は、第２の利用者からＰＩＮの入力を受付け、ＰＩＮをＷｅｂサーバ１に出力する（ステップＳ２３）。Ｗｅｂサーバ１は、取得した本人確認情報とＰＩＮとが対応するか否かを判定する（ステップＳ２４）。Ｗｅｂサーバ１は、本人確認情報とＰＩＮとが対応しないと判定した場合（ステップＳ２４のＮｏ）、第２の利用者端末３に、再度ＰＩＮの入力を受付けさせる。Ｗｅｂサーバ１は、本人確認情報とＰＩＮとが対応すると判定した場合（ステップＳ２４のＹｅｓ）、第２の利用者を認証してログインさせる（ステップＳ２５）。第２の利用者端末３は、表示部に表示した仮ＩＤ検索ボタンが押下されたことを検知すると、Ｗｅｂサーバ１に対して仮ＩＤ検索要求を行う（ステップＳ２６）。また、第２のＩＣチップ保有媒体５は、ステップＳ１３で記憶した仮ＩＤを、第２の利用者端末３を介してＷｅｂサーバ１に出力する（ステップＳ２７）。
【００６０】
仮ＩＤ検索要求を取得すると、Ｗｅｂサーバ１は本ＩＤ−仮ＩＤ対応付けテーブル１８ｂを参照して、ステップＳ２７で取得した仮ＩＤに対応付けられた、第１の利用者の本ＩＤを検索して取得する（ステップＳ２８）。またＷｅｂサーバ１は、本ＩＤテーブル１８ａを参照して、第２の利用者の本ＩＤを検索して取得する（ステップＳ２９）。Ｗｅｂサーバ１は、第１の利用者の本ＩＤと第２の利用者の本ＩＤとを対応付けて本ＩＤ−本ＩＤ対応付けテーブル１８ｃに記憶する（ステップＳ３０）。Ｗｅｂサーバ１は、所定の方法でこの結果を第１の利用者に通知する（ステップＳ３１）。第２の利用者は、ログアウト操作を行ってＷｅｂサーバ１からログアウトする（ステップＳ３２）。
【００６１】
上記の実施形態によれば、自分のユーザＩＤやＰＩＮを相手に知られることなく、確実に想定した相手とマッチングすることができる。
【００６２】
また、Ｗｅｂサーバ１はログイン時に利用者にＰＩＮの入力を要求する。これによって、仮に第２の利用者が他人のＩＣチップ保有媒体を悪用して第１の利用者の仮ＩＤをダウンロードしても、第２の利用者は、他人のＩＣチップ保有媒体のＰＩＮを入力することができないためログインすることができない。結果として、第１の利用者が想定しない相手とマッチングすることを避けることができる。
【００６３】
これらの本発明に係るＷｅｂサーバ１、第１の利用者端末２及び第２の利用者端末３をコンピュータで構成した場合、各機能を実現する処理内容を記述したプログラムを、当該コンピュータの内部又は外部の記憶部に格納しておき、当該コンピュータの中央演算処理装置（ＣＰＵ）によってこのプログラムを読み出して実行させることで実現することができる。また、このようなプログラムは、例えばＤＶＤ又はＣＤ−ＲＯＭ等の可搬型記録媒体の販売、譲渡、貸与等により流通させることができるほか、そのようなプログラムを、例えばネットワーク上にあるサーバの記憶部に記憶しておき、ネットワークを介してサーバから他のコンピュータにそのプログラムを転送することにより、流通させることができる。また、そのようなプログラムを実行するコンピュータは、例えば、可搬型記録媒体に記録されたプログラム又はサーバから転送されたプログラムを、一旦、自己の記憶部に記憶することができる。また、このプログラムの別の実施態様として、コンピュータが可搬型記録媒体から直接プログラムを読み取り、そのプログラムに従った処理を実行することとしてもよく、更に、このコンピュータにサーバからプログラムが転送される度に、逐次、受け取ったプログラムに従った処理を実行することとしてもよい。従って、本発明は、前述した実施形態に限定されるものではなく、その主旨を逸脱しない範囲において組み合わせたり一部削除したりするなどして種々変更可能である。
【符号の説明】
【００６４】
１      Ｗｅｂサーバ
１１    制御部
１２    本人確認部
１３    仮ＩＤ発行部
１４    ＩＤ対応付け部
１５    仮ＩＤ送受信部
１６    仮ＩＤ検索部
１７    結果送信部
１８    記憶部
１８ａ  本ＩＤテーブル
１８ｂ  本ＩＤ−仮ＩＤ対応付けテーブル
１８ｃ  本ＩＤ−本ＩＤ対応付けテーブル
２      第１の利用者端末
２１    制御部
２２    通信部
２３    リーダライタ
３      第２の利用者端末
４      第１のＩＣチップ保有媒体
４１    記憶部
５      第２のＩＣチップ保有媒体
【図１】
2016025630.tif 000003
【図２】
2016025630.tif 000004
【図３】
2016025630.tif 000005
【図４】
2016025630.tif 000006
【図５】
2016025630.tif 000007
【図６】
2016025630.tif 000008